(57)【要約】      （修正有）【課題】現代の日本の繊維業界は、他国の安価な商品に押され危機的な状況に落ち込んでいる。日本の技術もアイデアも優秀な製造機械、工場まで全てを海外に持っていき、自国の繊維業界の首根っこを自ら締め付けている。【解決手段】本考案は、着脱可能な複数フックボタン凹部又は、凸部を衣料品、衣服、ズボンに装備し、ポケットを着けたり外したりサイズ直しも出来、又凹、凹フックボタン、凸、凸フックボタンであれば、表、裏布生地にもポケットを装着する事もでき、優れた衣料品を提供する。【選択図】図１
0003127905.tif 000002
【実用新案登録請求の範囲】
【考案の詳細な説明】
【技術分野】
【０００１】  本考案は、脱着可能な複数フックボタン凹部又は、凸部を衣服に装備し。ポケット（リール）を着けたり外したりサイズ直しも出来。上着からズボンにもポケット、絵、プロテクターを着けたり外したり出来る。衣服に関するものである。
【背景技術】
【０００２】  特に、ポケットなぞは、サイズも小さく小物ぐらいしかポケットに入れることしか出来ず。また衣服に付けられ、生地、デザインなどは、本人が気に入っているけれど。ポケットのサイズ、機能性が少し合わないから他の衣服で我慢してしまう事も多々ある。その上ポケットは、破れやすく気に入った衣服でもポケットの修理をするのが難しくその衣服は、着なくなる。また成長盛りの子供達は直ぐに衣服のサイズが合わなくなってしまい、また転倒などの不慮の事故などにより袖、膝などが破れた時、また衣服が少し綻んでしまった時にも継ぎ接ぎに成り新しい衣服を購入せざる羽目に成る。
【考案の開示】
【考案が解決しようとする課題】
【０００３】  従来衣服に付けられたポケットは小さく、購入された人々が自由に自分達の都合の良い位置にポケットを移動する事も、ポケットの大きさを変えようとする事は大変困難である。まして現在の書類関係はＡ４サイズの書類が大変多く、一、二枚の書類でも大きな書類入れを持って行かなければ成らず、置き忘れや、置き引き、引たくりなどの被害に会たり大変な状況に遭われる事も考えられる。また夏場の海水浴などにお出かけの時に、脱がれた衣服に其のまま財布や貴重品などを入れていたら不安で、楽しむ事も出来なくつまらない海水浴に成ってしまう事も多々考えられる。また転倒など不慮の事故などで、少し綻んだ時などもカラフルに補修が簡単に出来る。従って、ポケットの機能と色々な機能を一体化する事により衣服の脱着の場会いでも貴重品は、本人と共にあり安全、安心である。
【課題を解決するための手段】
【０００４】  凸ボタンと凹ボタンを衣服（図１−１−４）に上手付けて利用すれば、大、小ポケット（図１−ａ５）を自分の好きなポケットサイズ、自分の好きな所に装着できる。サイズ直しもいとも簡単に出来ます。例えば極端な話をすれば、凹、凸フックボタン（図４−３−３’−３”）を交互に付ければ、長ズボンを半ズボンにまた半ズボンを長ズボンに足す生地にフックボタンを付けて在れば簡単に長ズボンに変える事も出来ます。腹回りでも自由自在に調整する事も簡単です。
【考案の効果】
【考案を実施するための最良の形態】
【０００５】  脱着可能な複数フックボタン凹部又は、凸部（図４−３−３’−３”）を衣服（図１−１−１’−４）に装備し。ポケット（図１−ａ５）大、小サイズを着けたり外したり出来る。上着（図１−１）からズボン（図１−４）にもポケット、絵（図１−ａ５−ｂ８）を着けたり外したり出来る。絵、コマシャール、メッセージ（図１−ｂ８）などを装着できるだけでなく、フックボタン（図４−３−３’−３”）であれば、ポケット、絵、コマシャール、メッセージが何重に重ねて着けたり外したりも出来る。前記衣服にフックボタン（図４−３）を装着すれば、必要に応じてポケット、絵、コマシャール、メッセージ（図１−ａ５−ｂ８）を取り替えて、外出時ポケット、絵（図１−ａ５−ｂ８）に夜光塗料、光物などを付ければ、夜間の道なども少しは安心。一人（子供連）お出かけ時に不意の雨でもポケットに一人用、二人用マント、レインコート（図２−９−１０−１５）なぞをポケット（図１−ａ５）に用意してあれば、子供と一緒にレインコートに入り、依り一層安全、安心である。その他プロテクター（図２−１７）を付ける事により老人、雪国の転倒事故、スポーツなぞの衣服（下着、上着、ズボン）に装備でき転倒した時には、擦過傷、骨折も（軽傷）防げ、とてもよい衣服となる。紐、ベルト（図１−ａ６）を、必要な数をポケット（図１−ａ５）に入れハンドバック、カバン等（図１−ａ６−６’）装着し尚且つリール、カラーボール（図２−１２−１３−１４）を備え肩から斜め脇下で持つ事により、犯罪被害の置き引き、引たくり、置き忘れなぞの防止にもなる。従って本考案は、衣服により良い機能性を持たせ、より良い便利さと安全性も兼ね備えた優れものである。
【実施例】
【０００６】  以下、添付書面に従って実施例を説明する。機能性、デザイン性、利便性を重要視し、耐久性、安全性も兼備えたものである。尚、紐、ベルト（図１−ａ５−６）を付ける事により、夏場の海水浴（防水加工）の際身体に装備、日常お出かけの際ハンドバック等も首、肩にかけ尚且つリール（図２−１２−１３−１４）装備する事により引たくり（置き引き）置き忘れなどの被害にあわずに安心、安全である。またスポーツ、運転中（日常）に於いてもプロテクター（図２−１７）を装備する事により擦過傷、骨折も防止或いは、重症に成らずに軽傷で抑えられる可能性も大である。然るに本考案の脱着自由自在ポケットつき衣服は、ポケットだけではなく絵、メッセージ、コマシャール、雨具、コート、リール（図２−９−１０−１２−１５−１７）、など多目的にも優れた機能を発揮する優れものである。挟み込み（図４−Ｃ）は、布生地だけではなく。プラスチック、板、プロテクターなどなど色々な物も可能である。例えば、生地と一緒にプラスチック製の下敷きを挟む事により、出会った人と（有名人）の思い出にサインなども記念に書いてもらう事も出来、いい思い出が多く生まれる可能性がある。実施例（図３）を参考にして下さい。
【産業上の利用可能性】
【０００７】  本考案の脱着自由自在ポケットつき衣服は、日本の繊維産業の活性化にも貢献でき、多発している犯罪の抑止力にも繋がる。尚且つ外国の安価な商品で低迷している現状を打破も出来る可能性もある。また新商品の衣服だけでなく現在使っている衣服にも取り付け、取り外し自由自在なフックボタン（図４−３−３’−３”）を、装備する事により用途、目的に合う使い方としてレインコート、オーバー、プロテクター（図２−９−１０−１５−１７）なぞをポケットに入れて外出されていたら、急な雨のときはレインコート（図２−９−１０）、大変込み合う会場では、オーバー（図２−１５）を着ける事によりお子さんが迷子にならず、もしもの転倒時には、プロテクター（図２−１７）を着けていれば擦過傷位は防止できる。どの様な時でも態様が可能に成り便利（安全、安心）になる。したがって、本考案の脱着自由自在ポケットつき衣服、部品（図４−３−３’−３”）を取り付ける事によって今までの不満、不安が解消され是より安心、安全、便利な機能性も備えた衣服と成る。
【図面の簡単な説明】
【０００８】
【図１】衣服、ズボン、ポケット、絵、（メッセージ、コマシャール）
【図２】レインコート、オーバー、プロテクター、リール
【図３】本考案の装着完成図
【図４】脱着自由自在、フックボタン、ボタンの参考写真
【符号の説明】
【０００９】  １    （図１−１）は上着
２    （図１−４）はズボン
３    （図１−２）は凸凹ボタンの合体、（図４）フックボタンを参考
４    （図１−３−３’−３”）３”は凸凸、３’は凹凹フックボタン
５    （図１−ａ５）はポケット、ａ６は紐、ベルト、６’は止め金具
６    （図１−ｂ８）は絵、メッセージ、コマシャール
７    （図１−ａ７）は止め金
８    （図２−９−１０）はレインコート（大、小）（図２−１１−１１’）は繋ぎ手
９    （図２−１２）はリール
１０  （図２−１８）は繋ぎ止め具
１１  （図２−１４）は防犯用カラーボール
１２  （図２−１５）は二人用コート
１３  （図２−１７）はプロテクター
１４  （図２−１”−４’）は肌着又は上着、ズボン
１５  （図２−１６）はソクス
１６  （図３）前面、背面衣服（ズボン）に全ての装備状態
１７  （図４−３−３’−３”）フックボタン、
１８  （図４−Ａ）フックボタン３が生地（プラスチック）を挟み込み止めた状態
１９  （図４−Ｃ）挟み込む物、生地、フラスチック、板
２０  図４の写真は、参考までに凹（図４−３）、凸凸（図４−３”）フックボタン
【図１】
0003127905.tif 000003
【図２】
0003127905.tif 000004
【図３】
0003127905.tif 000005
【図４】
0003127905.tif 000006
【手続補正書】
【提出日】平成18年7月11日(2006.7.11)
【手続補正１】
【補正対象書類名】実用新案登録請求の範囲
【補正対象項目名】全文
【補正方法】変更
【補正の内容】
【実用新案登録請求の範囲】
【請求項１】
ホケット、情報表示物、衝撃防止用保護具、又は盗難防止用若しくは置き忘れ防止用リールを取り付けるための複数の第一ボタン凹部又は複数の第一ボタン凸部が取り付けられたことを特徴とする衣料品。
【請求項２】
ホケット、情報表示物、衝撃防止用保護具、又は盗難防止用若しくは置き忘れ防止用リールを取り付けるための複数の第一ボタン凹部又は複数の第一ボタン凸部が取り付けられた衣料品であって一の第一ボタン凹部と他の第一ボタン凹部とが布を間に挟んだ状態で、表面を向くように取り付けられたことを特徴とする衣料品。
【請求項３】
一の第一ボタン凸部と他の第一ボタン凸部とが布を間に挟んだ状態で、これらの凸部が表面を向くように取り付けられたことを特徴とする衣料品。
【請求項４】
請求項１〜3に記載の衣料品に取り付けられた複数の第一ボタン凹部又は複数の第一ボタン凸部うに取り付けための第二ボタン凹部又は第二ボタン凸部取り付けられたことを特徴とするアタッチメント。
【請求項５】
請求項１〜3に記載の衣料品に請求項4に記載のアタッチメントを取り付けたアタッチメントつき衣料品。
【手続補正２】
【補正対象書類名】明細書
【補正対象項目名】０００８
【補正方法】変更
【補正の内容】
【０００８】
【図１】本発明の一実施形態に係る衣料品及びアタッチメントを示す図である。
【図２】本発明の一実施形態に係る衣料品及びアタッチメントの応用例を示す図である。
【図３】本発明の一実施形態に係る衣料品及びアタッチメントの応用例を示す図である。
【図４】ボタン凹部とボタン凸部の取り付け状態を示す図である。
【手続補正３】
【補正対象書類名】明細書
【補正対象項目名】０００９
【補正方法】変更
【補正の内容】
【０００９】
１上着の前、１’上着の後、1”肌着
２フックボタンが合体した状態
３フックボタンが衣料品に装着された状態、又３’凹、凹３”凸、凸
４ズボン、４’ズボン下着
５ポケット
６紐、６’紐止め金具
７ポケット紐止め金具
８情報表示物
９大レインコート、９’フード
１０小レインコート１０’フード
１１大、小１１’レインコート繋ぎの生地
１２リール
１３盗難防止、置忘れ防止用止め金具
１４カラーボール
１５二人用コート
１６ソックス
１７プロテクター
写真は参考写真
【手続補正書】
【提出日】平成18年8月10日(2006.8.10)
【手続補正１】
【補正対象書類名】実用新案登録請求の範囲
【補正対象項目名】全文
【補正方法】変更
【補正の内容】
【実用新案登録請求の範囲】
【請求項１】
ポケット、情報表示物、衝撃防止用保護具、又は盗難防止用若しくは置き忘れ防止用リールを取り付けるための複数の第一ボタン凹部又は複数の第一ボタン凸部が取り付けられたことを特徴とする衣料品。
【請求項２】
ポケット、情報表示物、衝撃防止用保護具、又は盗難防止用若しくは置き忘れ防止用リールを取り付けるための複数の第一ボタン凹部又は複数の第一ボタン凸部が取り付けられた衣料品であって一の第一ボタン凹部と他の第一ボタン凹部とが布を間に挟んだ状態で、表面を向くように取り付けられたことを特徴とする衣料品。
【請求項３】
請求項１〜２のいずれか一項に記載の衣料品に取り付けられた複数の第一ボタン凹部又は複数の第一ボタン凸部に取り付けるための第二ボタン凹部又は第二ボタン凸部に取り付けられたことを特徴とするアタッチメント。
【請求項４】
請求項１〜２に記載の衣料品に請求項３に記載のアタッチメントを取り付けたアタッチメントつき衣料品。
【手続補正書】
【提出日】平成18年10月12日(2006.10.12)
【手続補正１】
【補正対象書類名】実用新案登録請求の範囲
【補正対象項目名】全文
【補正方法】変更
【補正の内容】
【実用新案登録請求の範囲】
【請求項１】
ポケット、情報表示物、衝撃防止用保護具、又は盗難防止用若しくは置き忘れ防止用リールを取り付けるための複数の第一ボタン凹部又は複数の第一ボタン凸部が取り付けられたことを特徴とする衣料品。
【請求項２】
ポケット、情報表示物、衝撃防止用保護具、又は盗難防止用若しくは置き忘れ防止用リールを取り付けるための複数の第一ボタン凹部又は複数の第一ボタン凸部が取り付けられた衣料品であって一の第一ボタン凹部と他の第一ボタン凹部とが布を間に挟んだ状態で、表面を向くように取り付けられたことを特徴とする衣料品。
【請求項３】
請求項１〜２のいずれか１項に記載の衣料品に取り付けられた複数の第一ボタン凹部又は複数の第一ボタン凸部に取り付けるための第二ボタン凹部又は第二ボタン凸部取り付けられたことを特徴とするアタッチメントを備えた衣料品。